【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
ビデオ情報をコーディングするように構成された装置であって、
参照レイヤおよびエンハンスメントレイヤに関連付けられるビデオ情報を記憶するように構成されたメモリユニット、ここにおいて、前記参照レイヤは、参照レイヤピクチャを含み、前記エンハンスメントレイヤは、現在のピクチャを含む、と、
前記メモリユニットに動作可能に結合されたプロセッサと、
を備え、前記プロセッサは、
多くとも１つの参照レイヤピクチャが、前記エンハンスメントレイヤ中の前記現在のピクチャを予測するために使用されるべきであることを示す指示を処理し、
多くとも１つの参照レイヤピクチャが、前記現在のピクチャを予測するために使用されるべきであることを示す前記指示を処理することに応答して、多くとも１つの参照レイヤピクチャを用いて前記現在のピクチャを予測する
ように構成される、装置。
【請求項２】
前記多くとも１つの参照レイヤピクチャが、アップサンプリングされたピクチャと前記現在のピクチャとの空間解像度が同じであるようにアップサンプリングされたピクチャである、請求項１に記載の装置。
【請求項３】
前記プロセッサが、前記指示をビットストリーム適合制限として与えるようにさらに構成され、ここにおいて、前記プロセッサは、前記ビットストリーム適合制限に準拠するビットストリームをコーディングするように構成される、請求項１に記載の装置。
【請求項４】
前記多くとも１つのリサンプリングされた参照ピクチャが、前記現在のピクチャに関連付けられるすべてのスライスの参照ピクチャリスト内に存在する、請求項１に記載の装置。
【請求項５】
前記プロセッサが、スライスヘッダ中の参照レイヤ識別を示すシンタックス要素をシグナリングするようにさらに構成され、ここにおいて、前記参照レイヤ識別が、前記現在のピクチャを予測するために使用されるべき前記多くとも１つの参照レイヤピクチャを示す、請求項１に記載の装置。
【請求項６】
前記プロセッサが、ピクチャパラメータセット（ＰＰＳ）中の参照レイヤ識別を示すシンタックス要素をシグナリングするようにさらに構成され、ここにおいて、前記参照レイヤ識別が、前記現在のピクチャを予測するために使用されるべき前記多くとも１つの参照レイヤピクチャを示す、請求項１に記載の装置。
【請求項７】
前記プロセッサが、前記現在のピクチャの前記参照レイヤピクチャを示す改良フラグをシグナリングすることによって、前記指示を処理するようにさらに構成される、請求項１に記載の装置。
【請求項８】
前記プロセッサが、直接依存フラグに関連付けられるシンタックス要素にビットストリーム適合制限を与えることによって、前記指示を処理するようにさらに構成され、ここにおいて、前記直接依存フラグが、前記参照レイヤに関連付けられるピクチャが、前記エンハンスメントレイヤの参照ピクチャであるかどうかを示す、請求項１に記載の装置。
【請求項９】
前記プロセッサが、前記現在のピクチャのレイヤＩＤに最も近いレイヤＩＤを有する前記参照レイヤピクチャのみを用いることによって、前記現在のピクチャを予測するようにさらに構成される、請求項１に記載の装置。
【請求項１０】
前記プロセッサが、レイヤ間予測と前記多くとも１つの参照レイヤピクチャとを用いて前記現在のピクチャを符号化することによって、前記現在のピクチャを予測するように構成される、請求項１に記載の装置。
【請求項１１】
前記プロセッサが、レイヤ間予測と前記多くとも１つの参照レイヤピクチャとを用いて前記現在のピクチャを復号することによって、前記現在のピクチャを予測するように構成される、請求項１に記載の装置。
【請求項１２】
デジタルテレビジョン、デジタルダイレクトブロードキャストシステム、ワイヤレスブロードキャストシステム、携帯情報端末（ＰＤＡ）、ラップトップコンピュータ、デスクトップコンピュータ、タブレットコンピュータ、電子ブックリーダ、デジタルカメラ、デジタル記録デバイス、デジタルメディアプレーヤ、ビデオゲームデバイス、ビデオゲームコンソール、セルラー電話、衛星無線電話、スマートフォン、ビデオ遠隔会議デバイス、およびビデオストリーミングデバイスのうちの１つまたは複数からなる群から選択されるデバイスをさらに備える、請求項１に記載の装置。
【請求項１３】
ビデオ情報を復号する方法であって、
多くとも１つの参照レイヤピクチャが、エンハンスメントレイヤ中の現在のピクチャを予測するために使用されるべきであることを示す指示を処理することと、
多くとも１つの参照レイヤピクチャが、前記現在のピクチャを予測するために使用されるべきであることを示す前記指示を処理することに応答して、前記現在のピクチャを復号するために使用すべき前記多くとも１つのリサンプリングされた参照レイヤピクチャを決定することと、
レイヤ間予測と前記決定された多くとも１つの参照レイヤピクチャとを用いて前記現在のピクチャを復号することと、
を備える、方法。
【請求項１４】
前記多くとも１つの参照レイヤピクチャが、アップサンプリングされたピクチャと前記現在のピクチャとの空間解像度が同じであるようにアップサンプリングされたピクチャである、請求項１３に記載の方法。
【請求項１５】
前記指示を処理することは、前記指示をビットストリーム適合制限として与えることを備え、ここにおいて、前記方法は、前記ビットストリーム適合制限に準拠するビットストリームを復号することをさらに備える、請求項１３に記載の方法。
【請求項１６】
前記多くとも１つのリサンプリングされた参照ピクチャが、前記現在のピクチャに関連付けられるすべてのスライスの参照ピクチャリスト内に存在する、請求項１３に記載の方法。
【請求項１７】
スライスヘッダ中の参照レイヤ識別を示すシンタックス要素をシグナリングすることをさらに備え、ここにおいて、前記参照レイヤ識別が、前記現在のピクチャを復号するために使用されるべき前記多くとも１つの参照レイヤピクチャを示す、請求項１３に記載の方法。
【請求項１８】
ピクチャパラメータセット（ＰＰＳ）中の参照レイヤ識別を示すシンタックス要素をシグナリングすることをさらに備え、ここにおいて、前記参照レイヤ識別が、前記現在のピクチャを復号するために使用されるべき前記多くとも１つの参照レイヤピクチャを示す、請求項１３に記載の方法。
【請求項１９】
前記指示を処理することは、スライスの前記現在のピクチャの前記参照レイヤピクチャを示す改良フラグをシグナリングすることを備える、請求項１３に記載の方法。
【請求項２０】
前記指示を処理することは、直接依存フラグに関連付けられるシンタックス要素にビットストリーム適合制限を与えることを備え、ここにおいて、前記直接依存フラグが、前記参照レイヤに関連付けられるピクチャが、前記エンハンスメントレイヤの参照ピクチャであるかどうかを示す、請求項１３に記載の方法。
【請求項２１】
前記現在のピクチャを復号することは、前記現在のピクチャのレイヤＩＤに最も近いレイヤＩＤを有する前記参照レイヤピクチャのみを用いることを備える、請求項１３に記載の方法。
【請求項２２】
ビデオ情報を符号化する方法であって、
多くとも１つの参照レイヤピクチャが、エンハンスメントレイヤ中の現在のピクチャを予測するために使用されるべきであることを示す指示を処理することと、
多くとも１つの参照レイヤピクチャが、前記現在のピクチャを予測するために使用されるべきであることを示す前記指示を処理することに応答して、前記現在のピクチャを符号化するために使用すべき前記多くとも１つのリサンプリングされた参照レイヤピクチャを決定することと、
レイヤ間予測と前記決定された多くとも１つの参照レイヤピクチャとを用いて前記現在のピクチャを符号化することと、
を備える、方法。
【請求項２３】
前記多くとも１つの参照レイヤピクチャが、アップサンプリングされたピクチャと前記現在のピクチャとの空間解像度が同じであるようにアップサンプリングされたピクチャである、請求項２２に記載の方法。
【請求項２４】
前記指示を処理することは、ビットストリーム適合制限として前記指示を与えることを備え、ここにおいて、前記方法は、前記ビットストリーム適合制限に準拠するビットストリームを符号化することをさらに備える、請求項２２に記載の方法。
【請求項２５】
前記多くとも１つのリサンプリングされた参照ピクチャが、前記現在のピクチャに関連付けられるすべてのスライスの参照ピクチャリスト内に存在する、請求項２２に記載の方法。
【請求項２６】
スライスヘッダ中の参照レイヤ識別を示すシンタックス要素をシグナリングすることをさらに備え、ここにおいて、前記参照レイヤ識別が、前記現在のピクチャを符号化するために使用されるべき前記多くとも１つの参照レイヤピクチャを示す、請求項２２に記載の方法。
【請求項２７】
ピクチャパラメータセット（ＰＰＳ）中の参照レイヤ識別を示すシンタックス要素をシグナリングすることをさらに備え、ここにおいて、前記参照レイヤ識別が、前記現在のピクチャを符号化するために使用されるべき前記多くとも１つの参照レイヤピクチャを示す、請求項２２に記載の方法。
【請求項２８】
前記指示を処理することは、スライスの前記現在のピクチャの前記参照レイヤピクチャを示す改良フラグをシグナリングすることを備える、請求項２２に記載の方法。
【請求項２９】
前記指示を処理することは、直接依存フラグに関連付けられるシンタックス要素にビットストリーム適合制限を与えることを備え、ここにおいて、前記直接依存フラグが、前記参照レイヤに関連付けられるピクチャが、前記エンハンスメントレイヤの参照ピクチャであるかどうかを示す、請求項２２に記載の方法。
【請求項３０】
前記現在のピクチャを符号化することは、前記現在のピクチャのレイヤＩＤに最も近いレイヤＩＤを有する前記参照レイヤピクチャのみを用いることを備える、請求項２２に記載の方法。
【請求項３１】
ビデオ情報をコーディングするための装置であって、
多くとも１つの参照レイヤピクチャが、エンハンスメントレイヤ中の現在のピクチャを予測するために使用されるべきであることを示す指示を処理するための手段と、
多くとも１つの参照レイヤピクチャが、前記現在のピクチャを予測するために使用されるべきであることを示す前記指示を処理することに応答して、前記現在のピクチャを予測するために使用すべき前記多くとも１つのリサンプリングされた参照レイヤピクチャを決定するための手段と、
レイヤ間予測と前記多くとも１つの参照レイヤピクチャとを用いて前記現在のピクチャを予測するための手段と、
を備える、装置。
【請求項３２】
前記多くとも１つの参照レイヤピクチャが、アップサンプリングされたピクチャと前記現在のピクチャとの空間解像度が同じであるようにアップサンプリングされたピクチャである、請求項３１に記載の装置。
【請求項３３】
前記多くとも１つの参照レイヤピクチャが、前記現在のピクチャに関連付けられるすべてのスライスの参照ピクチャリスト内に存在する、請求項３１に記載の装置。
【請求項３４】
コンピューティングハードウェアを備えるプロセッサ上で実行されたとき、前記プロセッサに、
多くとも１つの参照レイヤピクチャが、エンハンスメントレイヤ中の現在のピクチャを予測するために使用されるべきであることを示す指示を処理することと、
多くとも１つの参照レイヤピクチャが、前記現在のピクチャを予測するために使用されるべきであることを示す前記指示を処理することに応答して、前記現在のピクチャを予測するために使用すべき前記多くとも１つのリサンプリングされた参照レイヤピクチャを決定することと、
レイヤ間予測と前記多くとも１つの参照レイヤピクチャとを用いて前記現在のピクチャを予測することと、
を行わせる特定の命令を備える、非一時的コンピュータ可読媒体。
【請求項３５】
前記多くとも１つの参照レイヤピクチャが、アップサンプリングされたピクチャと前記現在のピクチャとの空間解像度が同じであるようにアップサンプリングされたピクチャである、請求項３４に記載の非一時的コンピュータ可読媒体。
【請求項３６】
前記多くとも１つの参照レイヤピクチャが、前記現在のピクチャに関連付けられるすべてのスライスの参照ピクチャリスト内に存在する、請求項３４に記載の非一時的コンピュータ可読媒体。
【手続補正２】
【補正対象書類名】明細書
【補正対象項目名】０１７９
【補正方法】変更
【補正の内容】
【０１７９】
[00160]  本発明の様々な実施形態について説明した。これらおよび他の実施形態は、以下の特許請求の範囲内に入る。
以下に本願発明の当初の特許請求の範囲に記載された発明を付記する。
［Ｃ１］
ビデオ情報をコーディングするように構成された装置であって、
参照レイヤ、エンハンスメントレイヤ、またはその両方に関連する参照レイヤピクチャを記憶するように構成されたメモリユニットと、
前記メモリユニットに動作可能に結合されており、レイヤ間参照ピクチャとしてリサンプリングされた多くとも１つの参照レイヤピクチャの使用を制限し、レイヤ間予測および前記レイヤ間参照ピクチャを用いて現在のピクチャを予測するように構成されたプロセッサと、
を備える、装置。
［Ｃ２］
前記リサンプリングされたピクチャが、アップサンプリングされたピクチャと前記現在のピクチャとの空間解像度が同じであるようにアップサンプリングされたピクチャである、Ｃ１に記載の装置。
［Ｃ３］
前記プロセッサが、前記制限をビットストリーム適合制限として提供するようにさらに構成される、Ｃ１に記載の装置。
［Ｃ４］
前記多くとも１つのリサンプリングされた参照ピクチャが、前記現在のピクチャに関連付けられるすべてのスライスの参照ピクチャリスト内に存在する、Ｃ１に記載の装置。
［Ｃ５］
前記プロセッサが、スライスヘッダ中の参照レイヤ識別を示すシンタックス要素をシグナリングするようにさらに構成され、ここにおいて、前記参照レイヤ識別が、前記レイヤ間参照ピクチャとして使用されるべき前記参照レイヤピクチャを示す、Ｃ１に記載の装置。
［Ｃ６］
前記プロセッサが、ピクチャパラメータセット（ＰＰＳ）中の参照レイヤ識別を示すシンタックス要素をシグナリングするようにさらに構成され、ここにおいて、前記参照レイヤ識別が、前記レイヤ間参照ピクチャとして使用されるべき前記参照レイヤピクチャを示す、Ｃ１に記載の装置。
［Ｃ７］
前記プロセッサが、スライスの前記現在のピクチャの前記参照レイヤピクチャを示す改良されたフラグをシグナリングすることによって、レイヤ間参照ピクチャとして多くとも１つの参照レイヤピクチャの使用を制限するようにさらに構成される、Ｃ１に記載の装置。
［Ｃ８］
前記プロセッサが、直接依存フラグに関連付けられるシンタックス要素にビットストリーム適合制限を与えることによって、レイヤ間参照ピクチャとして多くとも１つの参照レイヤピクチャの使用を制限するようにさらに構成され、ここにおいて、前記直接依存フラグが、前記参照レイヤに関連付けられるピクチャが、前記エンハンスメントレイヤの参照ピクチャであるかどうかを示す、Ｃ１に記載の装置。
［Ｃ９］
前記プロセッサが、前記現在のピクチャのレイヤＩＤに最も近いレイヤＩＤを有する前記参照レイヤピクチャのみを用いることによって、レイヤ間参照ピクチャとして多くとも１つの参照レイヤピクチャの使用を制限するようにさらに構成される、Ｃ１に記載の装置。
［Ｃ１０］
前記プロセッサが、レイヤ間予測と前記レイヤ間参照ピクチャとを用いて前記現在のピクチャを符号化することによって、前記現在のピクチャを予測するように構成される、Ｃ１に記載の装置。
［Ｃ１１］
前記プロセッサが、レイヤ間予測と前記レイヤ間参照ピクチャとを用いて前記現在のピクチャを復号することによって、前記現在のピクチャを予測するように構成される、Ｃ１に記載の装置。
［Ｃ１２］
デジタルテレビジョン、デジタルダイレクトブロードキャストシステム、ワイヤレスブロードキャストシステム、携帯情報端末（ＰＤＡ）、ラップトップコンピュータ、デスクトップコンピュータ、タブレットコンピュータ、電子ブックリーダ、デジタルカメラ、デジタル記録デバイス、デジタルメディアプレーヤ、ビデオゲームデバイス、ビデオゲームコンソール、セルラー電話、衛星無線電話、スマートフォン、ビデオ遠隔会議デバイス、およびビデオストリーミングデバイスのうちの１つまたは複数からなる群から選択されるデバイスをさらに備える、Ｃ１に記載の装置。
［Ｃ１３］
ビデオ情報を復号する方法であって、
多くとも１つのリサンプリングされた参照レイヤピクチャが、レイヤ間参照ピクチャとして使用され得るという制限を与えることと、
前記レイヤ間参照ピクチャとして使用するための前記多くとも１つのリサンプリングされた参照レイヤピクチャを決定することと、
レイヤ間予測と前記レイヤ間参照ピクチャとを用いて現在のピクチャを復号することと、
を備える、方法。
［Ｃ１４］
前記リサンプリングされたピクチャが、アップサンプリングされたピクチャと前記現在のピクチャとの空間解像度が同じであるようにアップサンプリングされたピクチャである、Ｃ１３に記載の方法。
［Ｃ１５］
前記制限をビットストリーム適合制限として提供することをさらに備える、Ｃ１３に記載の方法。
［Ｃ１６］
前記多くとも１つのリサンプリングされた参照ピクチャが、前記現在のピクチャに関連付けられるすべてのスライスの参照ピクチャリスト内に存在する、Ｃ１３に記載の方法。
［Ｃ１７］
スライスヘッダ中の参照レイヤ識別を示すシンタックス要素をシグナリングすることをさらに備え、ここにおいて、前記参照レイヤ識別が、前記レイヤ間参照ピクチャとして使用されるべき前記参照レイヤピクチャを示す、Ｃ１３に記載の方法。
［Ｃ１８］
ピクチャパラメータセット（ＰＰＳ）中の参照レイヤ識別を示すシンタックス要素をシグナリングすることをさらに備え、ここにおいて、前記参照レイヤ識別が、前記レイヤ間参照ピクチャとして使用されるべき前記参照レイヤピクチャを示す、Ｃ１３に記載の方法。
［Ｃ１９］
スライスの前記現在のピクチャの前記参照レイヤピクチャを示す改良されたフラグをシグナリングすることによって、レイヤ間参照ピクチャとして多くとも１つの参照レイヤピクチャの使用を制限することをさらに備える、Ｃ１３に記載の方法。
［Ｃ２０］
直接依存フラグに関連付けられるシンタックス要素にビットストリーム適合制限を与えることによって、レイヤ間参照ピクチャとして多くとも１つの参照レイヤピクチャの使用を制限することをさらに備え、ここにおいて、前記直接依存フラグが、前記参照レイヤに関連付けられるピクチャが、エンハンスメントレイヤの参照ピクチャであるかどうかを示す、Ｃ１３に記載の方法。
［Ｃ２１］
前記現在のピクチャのレイヤＩＤに最も近いレイヤＩＤを有する前記参照レイヤピクチャのみを用いることによって、レイヤ間参照ピクチャとして多くとも１つの参照レイヤピクチャの使用を制限することをさらに備える、Ｃ１３に記載の方法。
［Ｃ２２］
ビデオ情報を符号化する方法であって、
多くとも１つのリサンプリングされた参照レイヤピクチャが、レイヤ間参照ピクチャとして使用され得るという制限を与えることと、
前記レイヤ間参照ピクチャとして使用するための前記多くとも１つのリサンプリングされた参照レイヤピクチャを決定することと、
レイヤ間予測と前記レイヤ間参照ピクチャとを用いて現在のピクチャを符号化することと、
を備える、方法。
［Ｃ２３］
前記リサンプリングされたピクチャが、アップサンプリングされたピクチャと前記現在のピクチャとの空間解像度が同じであるようにアップサンプリングされたピクチャである、Ｃ２２に記載の方法。
［Ｃ２４］
ビットストリーム適合制限として前記制限を与えることをさらに備える、Ｃ２２に記載の方法。
［Ｃ２５］
前記多くとも１つのリサンプリングされた参照ピクチャが、前記現在のピクチャに関連付けられるすべてのスライスの参照ピクチャリスト内に存在する、Ｃ２２に記載の方法。
［Ｃ２６］
スライスヘッダ中の参照レイヤ識別を示すシンタックス要素をシグナリングすることをさらに備え、ここにおいて、前記参照レイヤ識別が、前記レイヤ間参照ピクチャとして使用されるべき前記参照レイヤピクチャを示す、Ｃ２２に記載の方法。
［Ｃ２７］
ピクチャパラメータセット（ＰＰＳ）中の参照レイヤ識別を示すシンタックス要素をシグナリングすることをさらに備え、ここにおいて、前記参照レイヤ識別が、前記レイヤ間参照ピクチャとして使用されるべき前記参照レイヤピクチャを示す、Ｃ２２に記載の方法。
［Ｃ２８］
スライスの前記現在のピクチャの前記参照レイヤピクチャを示す改良されたフラグをシグナリングすることによって、レイヤ間参照ピクチャとして多くとも１つの参照レイヤピクチャの使用を制限することをさらに備える、Ｃ２２に記載の方法。
［Ｃ２９］
直接依存フラグに関連付けられるシンタックス要素にビットストリーム適合制限を与えることによって、レイヤ間参照ピクチャとして多くとも１つの参照レイヤピクチャの使用を制限することをさらに備え、ここにおいて、前記直接依存フラグが、前記参照レイヤに関連付けられるピクチャが、エンハンスメントレイヤの参照ピクチャであるかどうかを示す、Ｃ２２に記載の方法。
［Ｃ３０］
前記現在のピクチャのレイヤＩＤに最も近いレイヤＩＤを有する前記参照レイヤピクチャのみを用いることによって、レイヤ間参照ピクチャとして多くとも１つの参照レイヤピクチャの使用を制限することをさらに備える、Ｃ２２に記載の方法。
［Ｃ３１］
ビデオ情報をコーディングするための装置であって、
多くとも１つのリサンプリングされた参照レイヤピクチャが、レイヤ間参照ピクチャとして使用され得るという制限を与えるための手段と、
前記レイヤ間参照ピクチャとして使用するための前記多くとも１つのリサンプリングされた参照レイヤピクチャを決定するための手段と、
レイヤ間予測と前記レイヤ間参照ピクチャとを用いて現在のピクチャを予測するための手段と、
を備える、装置。
［Ｃ３２］
前記リサンプリングされたピクチャが、アップサンプリングされたピクチャと前記現在のピクチャとの空間解像度が同じであるようにアップサンプリングされたピクチャである、Ｃ３１に記載の装置。
［Ｃ３３］
前記多くとも１つのリサンプリングされた参照ピクチャが、前記現在のピクチャに関連付けられるすべてのスライスの参照ピクチャリスト内に存在する、Ｃ３１に記載の装置。
［Ｃ３４］
コンピューティングハードウェアを備えるプロセッサ上で実行されたとき、前記プロセッサに、
多くとも１つのリサンプリングされた参照レイヤピクチャが、レイヤ間参照ピクチャとして使用され得るという制限を与えることと、
前記レイヤ間参照ピクチャとして使用するための前記多くとも１つのリサンプリングされた参照レイヤピクチャを決定することと、
レイヤ間予測と前記レイヤ間参照ピクチャとを用いて現在のピクチャを予測することと、
を行わせる特定の命令を備える、非一時的コンピュータ可読媒体。
［Ｃ３５］
前記リサンプリングされたピクチャが、アップサンプリングされたピクチャと前記現在のピクチャとの空間解像度が同じであるようにアップサンプリングされたピクチャである、Ｃ３４に記載の非一時的コンピュータ可読媒体。
［Ｃ３６］
前記多くとも１つのリサンプリングされた参照ピクチャが、前記現在のピクチャに関連付けられるすべてのスライスの参照ピクチャリスト内に存在する、Ｃ３４に記載の非一時的コンピュータ可読媒体。